(57)【要約】【課題】携帯電話やパーソナルコンピュータ等の各種電子機器に用いられる入力装置に関し、操作が容易で誤操作の少ない入力装置を提供することを目的とする。【解決手段】回転体１２の回転量と回転方向を検知し、表示手段２の表示を制御する制御手段１５が、回転体１２の所定方向の回転操作によって字数群または個別の字数を選択すると共に、逆方向の回転操作によって字数群または個別の字数を決定するようにして入力装置を構成することによって、回転体１２の回転操作のみで字数群や字数の選択及び決定が行えるため、字数群が異なる字数を選択したり、決定したりする場合においても回転体１２にふれたままで視認の必要がなく、操作が容易で誤操作の少ない入力装置を得ることができる。【選択図】  図１
2004252643.tif 000002
【特許請求の範囲】
【請求項１】
回転操作可能な回転体と、複数の文字・数字の個別の字数またはこれらから構成された字数群の少なくとも一方を所定の箇所に表示する表示手段と、回転体の回転量と回転方向を検知し、表示手段の表示を制御する制御手段からなり、前記制御手段が前記回転体の所定方向の回転操作によって字数群または個別の字数を選択すると共に、逆方向の回転操作によって前記字数群または個別の字数を決定する入力装置。
【請求項２】
回転体を押圧操作可能に形成すると共に、この押圧操作によって字数群または個別の字数を決定する請求項１記載の入力装置。
【発明の詳細な説明】
【０００１】
【発明の属する技術分野】
本発明は、主として携帯電話やパーソナルコンピュータ等の各種電子機器に用いられる入力装置に関するものである。
【０００２】
【従来の技術】
近年、携帯電話やパーソナルコンピュータの普及に伴い、電子メールによる文章等の送受信も広く行われており、このような機器に用いられる入力装置にも文字等の入力操作が容易なものが求められている。
【０００３】
このような従来の入力装置について図６を用いて説明する。
【０００４】
図６は、従来の入力装置を用いた携帯電話の平面図であり、同図において、この携帯電話１の前面上方には、液晶表示素子等の表示手段２が形成されている。
【０００５】
そして、この下方には、複数のファンクションキー３Ａや３Ｂ等が、また更にその下方には文字・数字・記号等を入力するテンキー４Ａや４Ｂ等が配設されており、それぞれのキーの上面には機能・文字・数字・記号等の表示がなされ、内部にはマイクロコンピュータ等の制御手段５が配設されている。
【０００６】
そして、この携帯電話１で通話を行う場合には、所定の数字が表示されたテンキー４Ａや４Ｂ等を押圧操作して電話番号を入力した後、ファンクションキー３Ａを押圧操作して発信させて、通話を行う。
【０００７】
また、この携帯電話１は、こうした通常の通話に加え、相手先の氏名等やこれに対応する電話番号を登録したり、電子メールによって所定の文章を送受信できる機能も有しており、その文字等の入力操作時にもテンキー４Ａや４Ｂ等を用いて操作するようになっている。
【０００８】
以下に、その入力操作について、簡単に説明する。
【０００９】
先ず、例えばファンクションキー３Ｂを押圧操作すると、制御手段５がこれを検知して文字入力が可能な操作の状態、つまり、テンキー４Ａや４Ｂ等が、数字ではなくその横に表示された文字の入力が可能な状態に切り換え、それぞれ「あいうえお」の「あ」の字数群や「かきくけこ」の「か」の字数群等の中の文字を入力できるように設定される。
【００１０】
そして、この状態において、必要に応じてテンキー４Ａや４Ｂ等を押圧操作して、希望する氏名や文面等を入力していく。
【００１１】
例えば、「青木（あおき）」という名字を入力する場合の操作について詳しく説明すると、先ず、「あ」の字数群に割り当てられているのはテンキー４Ａであるため、このテンキー４Ａを１回押圧操作すると、図７（ａ）に示すように、表示手段２に「あ」の文字が表示される。
【００１２】
そして、この状態で、文字送り用のファンクションキー３Ｃを押圧操作すると、「あ」の文字が決定される。
【００１３】
次に、「お」を入力するには、同じ「あ」の字数群であるために、再度テンキー４Ａを押圧操作すると、図７（ｂ）に示すように、表示手段２の「あ」の右横に「あ」が表示される。
【００１４】
この時、このテンキー４Ａを繰り返して押圧操作すると、右横の「あ」の文字が、順次「い」・「う」・「え」・「お」・「あ」…と変わって行き、表示手段２を視認しながらテンキー４Ａを４回押圧操作すると、図７（ｃ）に示すように、「お」の文字が表示された状態となる。
【００１５】
この時、間違って５回押圧操作してしまい、「あ」の文字が表示された場合には、所望の「お」の文字が表示されるまでさらに４回押圧操作し続けて、図７（ｃ）に示すように、表示手段２に「お」の文字が表示された状態とする。
【００１６】
続いて、「き」の文字の入力は、今度は「か」の字数群に割り当てられているのはテンキー４Ｂであるため、このテンキー４Ｂを１回押圧操作すると、２つ目に表示された「お」が決定されると共に、図７（ｄ）に示すように、表示手段２の「あお」の右横に「か」が表示される。
【００１７】
ここで、前記と同様にして、「か」の字数群に割り当てられたテンキー４Ｂを再度押圧操作すると、図７（ｅ）で示すように表示手段２に「あおき」と表示される。
【００１８】
そして、この状態で、変換キーならびに確定キー等に割り当てられた所定のファンクションキー３Ｄや３Ｅ等を押圧操作すると、表示手段２に「青木」、「青き」、「青樹」等の変換された文字が表示され、これらの表示の中から「青木」を選択すると、この「青木」が決定されるように構成されているものであった。
【００１９】
なお、この出願の発明に関連する先行技術文献情報としては、例えば特許文献１が知られている。
【００２０】
【特許文献１】
特開平８−３２１８６９号公報
【００２１】
【発明が解決しようとする課題】
しかしながら、前記従来の携帯電話においては、「あ」の字数群を選択する場合にはテンキー４Ａ、「か」の字数群を選択する場合にはテンキー４Ｂというように、字数群が異なる度に異なるテンキーを視認しながら押圧操作する必要がある上、同じ字数群の文字を続けて入力する場合、文字送り用のファンクションキー３Ｃの押圧操作が必要であり、操作が煩雑で押し間違い等の誤操作も生じ易いという課題があった。
【００２２】
本発明は、このような従来の課題を解決するものであり、操作が容易で誤操作の少ない入力装置を提供することを目的とする。
【００２３】
【課題を解決するための手段】
前記目的を達成するために本発明は、以下の構成を有するものである。
【００２４】
本発明の請求項１に記載の発明は、回転体の回転量と回転方向を検知し、表示手段の表示を制御する制御手段が、回転体の所定方向の回転操作によって字数群または個別の字数を選択すると共に、逆方向の回転操作によって字数群または個別の字数を決定するようにして入力装置を構成したものであり、回転体の回転操作のみで字数群や字数の選択及び決定が行えるため、字数群が異なる字数を選択したり、決定したりする場合においても回転体にふれたままで視認の必要がなく、操作が容易で誤操作の少ない入力装置を得ることができるという作用を有する。
【００２５】
請求項２に記載の発明は、請求項１記載の発明において、回転体を押圧操作可能に形成すると共に、この押圧操作によって字数群または個別の字数を決定するものであり、押圧操作を検知するための部品は増えるが異なる操作の組み合わせによって、誤操作の少ない入力装置を得ることができるという作用を有する。
【００２６】
【発明の実施の形態】
以下、本発明の実施の形態について、図１〜図４を用いて説明する。
【００２７】
なお、従来の技術の項で説明した構成と同一構成の部分には同一符号を付して、詳細な説明を簡略化する。
【００２８】
（実施の形態１）
実施の形態１を用いて、本発明の一実施の形態について説明する。
【００２９】
図１は本発明の第１の実施の形態による入力装置のブロック図、図２は同入力装置を用いた携帯電話の平面図であり、同図において、この携帯電話１１の前面上方には、液晶表示素子等の表示手段２が形成されている。
【００３０】
そして、この下方には、円盤状の回転体１２が配設され、操作者が指等をこの回転体１２上面のくぼみ１２Ａ等に置いて、時計方向または反時計方向に回転できるように携帯電話１１に保持されている。
【００３１】
また、この回転体１２の背面には、回転によって位相差のある２つのパルス信号が発生し、この信号の位相差とパルス数により回転方向と回転量を検知できる、いわゆる、インクリメント方式の回転型エンコーダ１４が連結されている。
【００３２】
なお、この回転型エンコーダ１４はパルス信号毎の所定間隔の角度で節度感のある、いわゆる、クリック感触付きのものである。
【００３３】
そして、回転体１２の周囲には、複数のファンクションキー３Ａや３Ｂ等が、またその下方には文字・数字・記号等を入力するテンキー４Ａや４Ｂ等が配設され、それぞれのキーの上面には機能・文字・数字・記号等の表示がなされている。
【００３４】
また、携帯電話１１の内部にはマイクロコンピュータ等の制御手段１５が配設され、この制御手段１５に回転体１２を装着した回転型エンコーダ１４や表示手段２が接続されて、入力装置２０が構成されている。
【００３５】
以上の構成において、通常、この携帯電話１１で通話を行う場合、所定の数字が表示されたテンキー４Ａや４Ｂ等を押圧操作して電話番号を入力した後、ファンクションキー３Ａを押圧操作して発信させて、通話を行う。
【００３６】
そして、回転体１２は、電話番号に対応する氏名等を入力したり、電子メールの題目や文面等を入力したりする際に用いられるものであり、以下、この操作方法について説明する。
【００３７】
先ず、ファンクションキー３Ｂを押圧操作すると、制御手段１５がこれを検知して、携帯電話１１をひらがなの選択が可能な初期の表示状態にさせる。
【００３８】
例えば、図３（ａ）の表示手段拡大図に示すように、表示手段２の下方に「あ」の字数群、「か」の字数群、「さ」の字数群、「た」の字数群、「な」の字数群をそれぞれ代表する複数の字数「あかさたな」、及び、中央の字数「さ」の下に字数を選択をするための線状のポインタ「＿」が表示される。
【００３９】
そして、この状態から、回転体１２を回転操作してポインタを移動させ所定の字数群を決定し、所定の字数群内の所定の字数を決定して希望する氏名や文章等を入力していく。
【００４０】
例えば、従来の技術の項で説明した場合と同様に、「青木」という名字を入力する場合の操作について詳しく説明すると、先ず、操作者が指を回転体１２上面のくぼみ１２Ａ等に置き、回転体１２を反時計方向に２回節度感を感じる分量、いわゆる、２クリック分回転する。
【００４１】
すると、制御手段１５が回転型エンコーダ１４の発生する信号により、回転操作の方向が反時計方向であることと、回転操作の量が２クリック分であることを検知し、図３（ｂ）に示すように、ポインタを左方向に２クリック分移動させ「あ」の下に表示させる。
【００４２】
次に、そのまま指を離さずに、回転体１２を逆方向の時計方向に回転すると、制御手段１５がこの回転を上記の回転方向と反対の逆方向であることを検知し、この「あ」で代表される字数群を決定して、図３（ｃ）で示すように、表示手段２の下方に「あかさたな」に代えて、「あ」の字数群を構成する複数の個別の字数「あいうえお」を表示させる。
【００４３】
この後、回転体１２を逆方向の反時計方向に回転すると、この「あ」が決定され、図３（ｄ）で示すように、表示手段２の上方にこの「あ」が表示されると共に、下方の表示は図３（ａ）と同様の「あかさたな」の表示に戻される。
【００４４】
続いて、「お」を入力するには、「あ」を入力した時と同様にして、先ず、回転体１２を反時計方向に２クリック分回転すると、図３（ｅ）に示すように、ポインタが「あ」の下に移動する。
【００４５】
次に、回転体１２を逆方向の時計方向に回転すると、この「あ」の字数群が決定され、図３（ｆ）に示すように、「あ」の字数群「あいうえお」が表示されると共に、「あ」の下にポインタが表示される。
【００４６】
更に、回転体１２を同様に時計方向に４クリック分回転すると、図３（ｇ）に示すように、ポインタが右方向に４クリック分移動し、「お」の下に表示される。
【００４７】
そして、回転体１２をこれまでとは逆方向の反時計方向に回転すると、この「お」が決定され、図３（ｈ）で示すように、表示手段２の上方にこの「お」が追記されて「あお」と表示されると共に、下方の表示は図３（ａ）と同様の初期の表示に戻される。
【００４８】
続いて、「き」を入力するには、この状態から、回転体１２を反時計方向に１クリック分回転すると、図３（ｉ）に示すように、ポインタが左方向に１クリック分移動し、「か」の下に表示される。
【００４９】
次に、回転体１２を逆方向の時計方向に回転すると、この「か」の字数群が決定され、図３（ｊ）に示すように、下方に「か」の字数群「かきくけこ」が表示されると共に、「か」の下にポインタが表示される。
【００５０】
更に、回転体１２を同様に時計方向に１クリック分回転すると、図３（ｋ）に示すように、ポインタが右方向に１クリック分移動し、「き」の下に表示される。
【００５１】
この後、回転体１２をこれまでとは逆方向の反時計方向に回転すると、この「き」が決定され、図３（ｌ）で示すように、上方にこの「き」が追記されて「あおき」が表示されると共に、下方の表示は図３（ａ）と同様の初期の表示に戻される。
【００５２】
そして、この状態で、変換キーならびに確定キー等に割り当てられた所定のファンクションキー３Ｄや３Ｅ等を押圧操作すると、表示手段２に「青木」、「青き」、「青樹」等の変換された文字が表示され、これらの表示の中から「青木」を選択すると、この「青木」が決定される。
【００５３】
つまり、先ず、回転体１２を所定方向に回転操作することによって、字数群を代表する所望の字数を選択した後、逆方向に回転操作することによって、字数群を決定する。
【００５４】
次に、そのまま逆方向に回転操作することによって、個別の字数を選択した後、所定方向に戻して回転操作することによって、個別の字数を決定するというように、回転方向によって選択と決定を繰り返し行うように構成されている。
【００５５】
このように本実施の形態によれば、回転体１２の回転量と回転方向を検知し、表示手段２の表示を制御する制御手段１５が、回転体１２の所定方向の回転操作によって字数群または個別の字数を選択すると共に、逆方向の回転操作によって字数群または個別の字数を決定するようにして入力装置を構成することによって、回転体１２の回転操作のみで字数群や字数の選択及び決定が行えるため、字数群が異なる字数を選択したり、決定したりする場合においても回転体１２にふれたままで視認の必要がなく、操作が容易で誤操作の少ない入力装置を得ることができるものである。
【００５６】
（実施の形態２）
実施の形態２を用いて、本発明の他の実施の形態について説明する。
【００５７】
本実施の形態においては、実施の形態１とは異なり、字数群を代表する字数ではなく、字数群そのものを回転体１２の回転操作によって選択、決定するように構成されている。
【００５８】
以下、この操作方法について説明する。
【００５９】
先ず、図４（ａ）の表示手段拡大図に示すように、ファンクションキー３Ｂを押圧操作すると、制御手段１５がこれを検知して携帯電話１１をひらがなの選択が可能な初期の表示状態とし、表示手段２の下方に「さ」の字数群を構成する複数の個別の字数「さしすせそ」を表示させる。
【００６０】
そして、実施の形態１の場合と同様に、「青木」という名字を入力する場合の操作について詳しく説明すると、先ず、この状態から、回転体１２を反時計方向に２クリック分回転する。
【００６１】
すると、制御手段１５が回転型エンコーダ１４の発生する信号により、回転操作の方向が反時計方向であることと、回転操作の量が２クリック分であることを検知し、図４（ｂ）に示すように、「さ」の字数群の２字数群分前の「あ」の字数群「あいうえお」が表示される。
【００６２】
次に、回転体１２を逆方向の時計方向に回転すると、制御手段１５がこの「あ」の字数群を決定して、図４（ｃ）で示すように、実施の形態１の場合と同様、下方に「あ」群の「あいうえお」と、この字数「あ」の下に所定の字数を選択するための線状のポインタ「＿」が表示される。
【００６３】
この後、回転体１２を再び逆方向の反時計方向に回転すると、同様にして、この「あ」が決定され、図４（ｄ）で示すように、上方にこの「あ」が表示されると共に、下方の表示は図４（ａ）と同様の初期の表示に戻される。
【００６４】
続いて、「お」を入力するには、「あ」を入力した時と同様にして、先ず、回転体１２を反時計方向に２クリック分回転すると、図４（ｅ）に示すように、下方に「あ」の字数群「あいうえお」が表示される。
【００６５】
次に、回転体１２を逆方向の時計方向に回転すると、この「あ」の字数群が決定され、図４（ｆ）に示すように、実施の形態１の場合と同様、「あいうえお」とこの「あ」の下にポインタが表示される。
【００６６】
更に、回転体１２を同様に時計方向に４クリック分回転すると、図４（ｇ）に示すように、実施の形態１の場合と同様、ポインタが右方向に４クリック分移動して「お」の下に表示される。
【００６７】
この状態で、回転体１２を逆方向の反時計方向に回転すると、この「お」が決定され、図４（ｈ）で示すように、上方にこの「お」が追記されて「あお」と表示されると共に、下方の表示は図４（ａ）と同様の初期の表示に戻される。
【００６８】
続いて、「き」を入力するには、先ず、回転体１２を反時計方向に１クリック分回転すると、図４（ｉ）に示すように、「か」の字数群「かきくけこ」が表示される。
【００６９】
次に、回転体１２を逆方向の時計方向に回転すると、この「か」の字数群が決定され、図４（ｊ）に示すように、実施の形態１の場合と同様、「かきくけこ」とこの「か」の下にポインタが表示される。
【００７０】
更に、回転体１２を同様に時計方向に１クリック分回転すると、図４（ｋ）に示すように、実施の形態１の場合と同様、ポインタが右方向に１クリック分移動して「き」の下に表示される。
【００７１】
この後、回転体１２をこれまでとは逆方向の反時計方向に回転すると、この「き」が決定され、図４（ｌ）で示すように、上方にこの「き」が追記されて「あおき」が表示されると共に、下方の表示は図４（ａ）と同様の初期の表示に戻される。
【００７２】
そして、実施の形態１の場合と同様、ファンクションキー３Ｄ等を押圧操作し、「青木」、「青き」、「青樹」等の表示の中から「青木」を選択すると、この「青木」が決定されて入力することができる。
【００７３】
つまり、先ず、回転体１２を所定方向に回転操作することによって、所望の字数群そのものを選択し、逆方向に回転操作することによって、字数群を決定した後、所望の個別の字数を選択して、決定するように構成されている。
【００７４】
このように、字数群を代表する字数ではなく、字数群そのものを回転体１２の所定方向及び逆方向の回転操作によって選択、決定するようにしても、本発明の実施は可能である。
【００７５】
（実施の形態３）
実施の形態３を用いて、本発明のさらに他の実施の形態について説明する。
【００７６】
本実施の形態においては、実施の形態１や２とは異なり、字数群そのものに加え、その前後の字数群を代表する字数を表示させ、これらを回転体１２の回転操作によって選択、決定するように構成されている。
【００７７】
以下、この操作方法について説明する。
【００７８】
先ず、図５（ａ）の表示手段拡大図に示すように、ファンクションキー３Ｂを押圧操作すると、制御手段１５がこれを検知して、携帯電話１１をひらがなの選択が可能な初期の表示状態とし、表示手段２の下方中央に「か」の字数群「かきくけこ」とこの字数群の表示領域を示す枠「□」を表示させる。
【００７９】
また、これらの左側に「か」の字数群の前の字数群を代表する字数「あ」とこの「あ」の下に左側を指示する矢印を、右側に「か」の字数群の後の字数群を代表する字数「さ」とこの「さ」の下に右側を指示する矢印を表示させる。
【００８０】
なお、このように左右の位置に対応して回転方向を指示する矢印を表示することで、次に回転する方向を判り易くすることができる。
【００８１】
そして、実施の形態１や２と同様、「青木」という名字を入力する場合の操作について詳しく説明すると、先ず、この状態から、回転体１２を反時計方向に１クリック分回転する。
【００８２】
すると、制御手段１５が回転型エンコーダ１４の発生する信号により、回転操作の方向が反時計方向であることと、回転操作の量が１クリック分であることを検知し、図５（ｂ）に示すように、下方中央に「か」の字数群の１字数群分前の「あ」の字数群「あいうえお」と、右側を指示する矢印を字数「あ」の下に表示させる。
【００８３】
また、これらの左側に「あ」の字数群の前の字数群を代表する字数「わ」とこの「わ」の下に左側を指示する矢印を表示させる。
【００８４】
次に、回転体１２を逆方向の時計方向に回転すると、制御手段１５がこの「あ」の字数群を決定して、図５（ｃ）で示すように、実施の形態１や２の場合と同様、下方に「あ」群の「あいうえお」を表示させる。
【００８５】
また、先程回転した方向が時計方向である事を表す右側を指示する矢印を、所定の代表する字数を選択するためのポインタとして字数「あ」の下に表示させる。
【００８６】
この後、回転体１２を逆方向の反時計方向に回転すると、同様にして、この「あ」が決定され、図５（ｄ）で示すように、上方にこの「あ」が表示されると共に、下方の表示は図５（ａ）と同様の初期の表示に戻される。
【００８７】
続いて、「お」を入力するには、「あ」を入力した時と同様にして、先ず、回転体１２を反時計方向に１クリック分回転して、図５（ｅ）に示すように、「あ」の字数群「あいうえお」と、この「あ」の下に右側を指示する矢印を表示させる。
【００８８】
次に、回転体１２を逆方向の時計方向に回転すると、この「あ」の字数群が決定され、図５（ｆ）で示すように、実施の形態１や２の場合と同様、「あいうえお」とこの「あ」の下にポインタとしての右側を指示する矢印が表示される。
【００８９】
更に、回転体１２を同様に時計方向に４クリック分回転すると、図５（ｇ）に示すように、実施の形態１や２の場合と同様、ポインタが右方向に４クリック分移動して「お」の下に表示される。
【００９０】
ここで、回転体１２を逆方向の反時計方向に回転すると、この「お」が決定され、図５（ｈ）で示すように、上方にこの「お」が追記されて「あお」と表示されると共に、下方の表示が図５（ａ）と同様の初期の表示に戻される。
【００９１】
続いて、「き」を入力する際には、先ず、回転体１２を時計方向に１０クリック分回転すると、図５（ｉ）に示すように、下方中央に「か」の字数群「かきくけこ」と、この「か」の下に左側を指示する矢印が表示される。
【００９２】
また、これらの右側に「か」の字数群の後の字数群を代表する字数「さ」と、この「さ」の下に右側を指示する矢印が表示される。
【００９３】
次に、回転体１２を逆方向の反時計方向に回転すると、この「か」の字数群が決定され、図５（ｊ）に示すように、実施の形態１の場合と同様、「かきくけこ」と、この「か」の下にポインタとしての左側を指示する矢印が表示される。
【００９４】
更に、回転体１２を同様に反時計方向に４クリック分回転すると、図５（ｋ）に示すように、実施の形態１や２の場合と同様、ポインタが「こ」「け」「く」「き」と左方向に４クリック分移動して「き」の下に表示される。
【００９５】
この後、回転体１２を逆方向の時計方向に回転すると、この「き」が決定され、図５（ｌ）で示すように、上方にこの「き」が追記されて「あおき」が表示されると共に、下方の表示が図５（ａ）と同様の初期の表示に戻される。
【００９６】
そして、実施の形態１や２の場合と同様、ファンクションキー３Ｄ等を押圧操作し、「青木」、「青き」、「青樹」等の表示の中から「青木」を選択すると、この「青木」が決定されて入力される。
【００９７】
このように、字数群そのものに加え、その字数群を代表する字数を表示させ、回転体１２の回転操作によってこれらを選択、決定するようにしても本発明の実施は可能である。
【００９８】
なお、以上のように、「あいうえお」「かきくけこ」というような分割された群ではなく、「あ」から「ん」までの全てのひらがなを一つの群とすると共に、その内の所定の字数を表示手段２に表示して、回転体１２の所定方向の回転操作によってこの中から所定の字数を選択し、逆方向の回転操作によってその字数を決定するようにしても良い。
【００９９】
そして、以上の説明では、携帯電話の前面に円盤状の回転体１２を配設し、この上面を回転操作する構成について説明したが、円盤状の回転体１２を携帯電話の側面に配設し、この回転体の側面を回転操作するものとしても本発明の実施は可能である。
【０１００】
また、回転体を円柱状とし、携帯電話の上面に配設して、この回転体の外周を上下又は左右に回転操作したり、携帯電話の側面に配設して回転操作したりしても良い。
【０１０１】
更に、回転体を球状とし、この外周を全方向に回転操作する構成としても良い。
【０１０２】
そして、以上の説明では、所定方向の回転操作で字数群または個別の字数を選択し、回転体１２の回転操作が逆方向になった時点で字数群または個別の字数を決定する構成として説明したが、例えば、所定以上の押圧操作力が加わった時にＯＮする押圧操作形のスイッチを回転体１２背面に配設し、回転体１２を押圧操作することによって、決定を行うものとしても良い。
【０１０３】
【発明の効果】
以上のように本発明によれば、操作が容易で誤操作の少ない入力装置を得ることができるという有利な効果が得られる。
【図面の簡単な説明】
【図１】本発明の第１〜３の実施の形態による入力装置のブロック図
【図２】同入力装置を用いた携帯電話の平面図
【図３】本発明の第１の実施の形態による表示図
【図４】本発明の第２の実施の形態による表示図
【図５】本発明の第３の実施の形態による表示図
【図６】従来の入力装置を用いた携帯電話の平面図
【図７】同表示図
【符号の説明】
１、１１  携帯電話
２  表示手段
３Ａ〜３Ｅ  ファンクションキー
４Ａ、４Ｂ  テンキー
５、１５  制御手段
１２  回転体
１４  回転型エンコーダ
【図１】
2004252643.tif 000003
【図２】
2004252643.tif 000004
【図３】
2004252643.tif 000005
【図４】
2004252643.tif 000006
【図５】
2004252643.tif 000007
【図６】
2004252643.tif 000008
【図７】
2004252643.tif 000009